(57)【要約】【課題】太陽電池モジュール本体の取り付け強度が向上するとともに、雨水が溜まりにくく、また、積雪が滑落しやすい太陽電池モジュールを得る。【解決手段】太陽電池モジュール本体と、前記太陽電池モジュール本体が嵌めこまれる枠体とを含む太陽電池モジュールにおいて、太陽電池モジュール本体の角部に、太陽電池モジュール本体の側辺と下辺とを挟持する嵌合部を備えたコーナ部材を有ることにより、太陽電池モジュール本体の側辺と下辺とを挟持するので、太陽電池モジュール本体の取り付け強度が向上するとともに、雨水が溜まりにくく、また、積雪が滑落しやすい太陽電池モジュールを得ることができる。【選択図】図１
2015056569.tif 000002
【特許請求の範囲】
【請求項１】
太陽電池モジュール本体と、前記太陽電池モジュール本体に取り付けられる枠体とを含む太陽電池モジュールにおいて、
前記枠体は、前記太陽電池モジュール本体の角部に、前記太陽電池モジュール本体の側辺と下辺とを挟持する嵌合部を備えたコーナ部材を有する太陽電池モジュール。
【請求項２】
前記枠体は、太陽電池モジュール本体の下辺に取り付けられる下枠を含み、前記下枠は、太陽電池モジュール本体の受光面と同一面または、受光面よりも低い位置にある請求項１記載の太陽電池モジュール。
【請求項３】
前記嵌合部の幅が、前記太陽電池モジュール本体の上辺側から下辺側に向かって連続的に広がっている請求項１または２記載の太陽電池モジュール。
【請求項４】
前記コーナ部材は、前記太陽電池モジュール本体を架台に取り付けるための係合手段を有してなる請求項１から３のいずれかに記載の太陽電池モジュール。
【請求項５】
前記コーナ部材は、複数の前記太陽電池モジュール本体を重畳した際に、上下の太陽電池モジュール本体の位置合わせをするための凸部を有する請求項１から４のいずれかに記載の太陽電池モジュール。
【発明の詳細な説明】
【技術分野】
【０００１】
本発明は、太陽電池モジュールに関するものである。
【背景技術】
【０００２】
近年、地球環境問題への関心が高まりつつある中、自然エネルギーを利用した新しいエネルギー技術が大いに注目されている。そのひとつとして、太陽エネルギーを利用したシステムの関心が高く、特に光電変換効果を利用して光エネルギーを電気エネルギーに変換する太陽光発電は、クリーンなエネルギーを得る手段として広く行われている。
【０００３】
太陽電池素子は、たとえば単結晶シリコン基板や、多結晶シリコン基板を用いて作製されている。太陽電池素子１枚では発生する電気出力が小さいため、複数の太陽電池素子を電気的に接続して実用的な電気出力が得られるようにしている。
【０００４】
太陽電池モジュール本体は、バックカバー上に直列あるいは並列に接続された複数の太陽電池素子を並べて配置し、さらに、太陽電池素子の受光面側に透明基板（ガラス）を配置した構造となっている。尚、太陽電池素子はＥＶＡ（ｅｔｈｙｌｅｎｅ−ｖｉｎｙｌ ａｃｅｔａｔｅ）などの封止樹脂にて封止されている。
【０００５】
さらに、この太陽電池モジュール本体に、封止部材や接着剤等の緩衝材を介して、太陽電池モジュール本体の外周部に断面がコの字状の枠体を取り付けた構造の太陽電池モジュールが多用されている。
【０００６】
上述のように、太陽電池素子は、その両面を封止樹脂で封止され、太陽電池モジュール本体は、枠体への取り付けに使用されるブチルゴム、シリコン樹脂などの接着剤、あるいはポリプロピレン系またはポリスチレン系のエラストマー樹脂等で端面が封止され、防水されている。
【０００７】
太陽電池モジュールは、通常、屋根や架台に水平面に対して傾斜して設置され、降雨は太陽電池モジュールの傾斜に沿って流れる。しかしながら、上述の太陽電池モジュールは太陽電池モジュール本体の外周部に枠体を嵌めた構造であるため、太陽電池モジュール本体の受光面部と枠体との間に段差が存在する。この段差のために降雨時に太陽電池モジュールの受光面に雨水が溜まり、その後雨水が蒸発した後に塵や埃、煤煙、砂、花粉、火山灰などの汚れが太陽電池モジュールの受光面に付着してしまい、太陽電池素子へ到達する光の量が減少し、太陽電池モジュールの発電量が低下するという問題あった。
【０００８】
また、太陽電池モジュール上に積雪すると、雪が段差に引っかかるために、落雪しにくくなり、太陽電池モジュール上に雪がとどまって、積雪によって低下した発電量が回復しにくいという問題があった。
【０００９】
このような問題を低減できる太陽電池として、例えば特許文献１（実開昭５８−１４７２６０号公報）には、枠体と、太陽電池モジュール本体の受光面との間の段差をなくした太陽電池モジュールが提案されている。
【００１０】
図１５は従来の太陽電池モジュールを示す図である。太陽電池モジュール１００において、太陽電池モジュール本体１０１は、フレーム１０２に固定されてなり、フレーム１０２は、左右の側壁１０２ａおよび１０２ｂと、上下の側壁１０２ｃおよび１０２ｄからなり、左右の側壁１０２ａ，１０２ｂは太陽電池モジュール本体１０１の上側を押さえているが、上下の側壁１０２ｃおよび１０２ｄは、降雪の滑落を妨げることがないように、太陽電池モジュール本体の受光面と略面一になるように形成されている。
【先行技術文献】
【特許文献】
【００１１】
【特許文献１】実開昭５８−１４７２６０号公報
【発明の開示】
【発明が解決しようとする課題】
【００１２】
しかしながら、従来例のような太陽電池モジュールでは、架台や屋根に傾斜させて設置したとき、太陽電池モジュール本体下端を受光面側から押さえる構造がないので、強風によって、太陽電池モジュール本体が、枠体であるフレームの上に乗り上げたり、フレームから外れて落下する怖れがあった。
【００１３】
本発明は、上記のような問題を鑑みてなされたものであり、太陽電池モジュール本体の取り付け強度が高くかつ、雨水が溜まりにくく、また、積雪が滑落しやすい太陽電池モジュールを提供することを目的とするものである。
【課題を解決するための手段】
【００１４】
本発明の太陽電池モジュールは、太陽電池モジュール本体と、前記太陽電池モジュール本体に取り付けられる枠体とを含む太陽電池モジュールにおいて、前記枠体は、太陽電池モジュール本体の角部に、太陽電池モジュール本体の側辺と下辺とを挟持する嵌合部を備えたコーナ部材を有するものである。
【００１５】
また、本発明の太陽電池モジュールは、枠体は、太陽電池モジュール本体の下辺に取り付けられる下枠を含み、下枠は、太陽電池モジュール本体の受光面と同一面または、受光面よりも低い位置にあるものを含むものである。
【００１６】
また、本発明の太陽電池モジュールは、嵌合部の幅が、太陽電池モジュール本体の上辺側から下辺側に向かって連続的に広がっているものを含むものである。
【００１７】
また、本発明の太陽電池モジュールは、コーナ部材は、太陽電池モジュール本体を枠体に取り付けるための係合手段を有してなるものを含むものである。
【００１８】
また、本発明の太陽電池モジュールは、コーナ部材は、複数の太陽電池モジュールを重畳した際に、上下の太陽電池モジュールの位置合わせをするための凸部を有してなるものを含むものである。
【発明の効果】
【００１９】
本発明によれば、太陽電池モジュールのコーナ部材が、太陽電池モジュール本体の側辺と下辺とを挟持するので、太陽電池モジュール本体の取り付け強度が向上するとともに、雨水が溜まりにくく、また、積雪が滑落しやすい太陽電池モジュールを得ることができる。
【図面の簡単な説明】
【００２０】
【図１】本発明の太陽電池モジュールを示す斜視図である。
【図２】本発明の太陽電池モジュールを示す平面図である。
【図３】本発明の太陽電池モジュールのＡ−Ａ’の断面図である。
【図４】本発明の太陽電池モジュールのＢ−Ｂ’の断面図である。
【図５】本発明の太陽電池モジュールのコーナ部材を示す斜視図である。
【図６】本発明の太陽電池モジュールの組立工程を示す図である。
【図７】本発明の太陽電池モジュールの組立工程を示す図である。
【図８】本発明の太陽電池モジュールの組立工程を示す図である。
【図９】本発明の太陽電池モジュールのＣ−Ｃ’の断面図である。
【図１０】本発明の太陽電池モジュールの部分拡大図である。
【図１１】本発明の太陽電池モジュールを複数積層した斜視図である。
【図１２】本発明の第２の実施の形態である太陽電池モジュールを示す部分拡大図である。
【図１３】本発明の第２の実施の形態である太陽電池モジュールを複数積層した図である。
【図１４】本発明の第３の実施の形態である太陽電池モジュールを示す部分拡大図である。
【図１５】従来の太陽電池モジュールを示す図である。
【発明を実施するための形態】
【００２１】
（実施の形態１）
以下、図面を参照しつつ、本発明の実施の形態に係る説明する。以下の説明では同一の部品には同一の符号を付してある。それらの名称および機能も同じである。したがって、それらについて詳細な説明は繰り返さない。
【００２２】
図１は本発明の太陽電池モジュールを示す斜視図である。上面が受光面である。図１において、太陽電池モジュール１は、矩形の太陽電池モジュール本体１０の各辺を枠体に嵌めこんで形成されている。太陽電池モジュール本体１０の側辺１１、１２は、横枠２０、２１にそれぞれ嵌めこまれている。また、太陽電池モジュール本体１０の下辺１３には、下枠３０が取り付けられており、また太陽電池モジュール本体１０の上辺１４には、上枠３１が取り付けられている。太陽電池モジュール本体１０の４つの角部にはコーナ部材４０が設置されている。枠体であるコーナ部材４０は太陽電池モジュール本体１０の角部を覆うと共に、太陽電池モジュール本体１０の隣り合う２辺に嵌めこんだ枠体とそれぞれ連結している。例えば、コーナ部材４０は横枠１０と下枠３０とを連結している。
【００２３】
また、横枠２０，２１は、太陽電池モジュール本体１０の側辺１１、１２の上面および下面を覆っている。一方、下枠３０は、太陽電池モジュール本体１０の下辺１３に取り付けられているが、太陽電池モジュール本体１０の下辺１３の受光面を覆ってはおらず、下枠３０の上端は、太陽電池モジュール本体１０の受光面と同一面か、受光面より下にある。また、上枠３１は、太陽電池モジュール本体１０の上辺１４と接続しているが、太陽電池モジュール本体１０の受光面上にはなく、上枠３１の上端は、太陽電池モジュール本体１０の受光面と同一面か、受光面より下にある。
【００２４】
太陽電池モジュール１は、横枠２０、２１の長手方向に沿って傾斜して設置され、太陽電池モジュール１上に雨が降った場合には、太陽電池モジュール本体１０の上辺１４から下辺１３に向けて水が流れる。
【００２５】
図２は、本発明の太陽電池モジュールを示す平面図である。太陽電池モジュール１において、Ａ−Ａ’断面は、太陽電池モジュール本体１０と横枠２０を含む断面であり、その様子を図３に示す。また、太陽電池モジュール１のＢ−Ｂ’断面は、太陽電池モジュール本体１０と下枠３０を含む断面であり、その様子を図４に示す。また、太陽電池モジュール１のＣ−Ｃ’断面は、コーナ部材周辺を含む断面であり、その様子を図９に示す。
【００２６】
図３は、本発明の太陽電池モジュールのＡ−Ａ’断面図である。横枠２０は、アルミニウムの押出加工により形成されてなる。横枠２０は、嵌合部２２と、ボックス部２３とフランジ部２４からなる。嵌合部２２は、ボックス部２３の上方にあり、上片２２ａと側片２２ｂと下片２２ｃとを連結したＣ字状に形成されている。ボックス部２３は、上片２３ａと内側片２３ｂと下片２３ｃと外側片２３ｄが箱状に連結された形状であり、内側には仕切片２３ｅが形成され、内側片２３ｂと外側片２３ｄを連結している。また、内側片２３ｂの一部にねじ穴部２３ｆ、２３ｇが形成されている。嵌合部２２の下片２２ｃはボックス部の上片２３ａと共有している。フランジ部２４は、ボックス部２３の下片２３ｃを太陽電池モジュール１の内側に向かって延設されたものである。フランジ部２４の先端２４ａは少し上方に折り曲げられて形成されている。尚、フレーム構造によっては、仕切片２３eは省略することができる。
【００２７】
弾性体５０は、断面が、嵌合部２２の内壁の形状に合わせてＣ字状に形成されており、嵌合部２２の内壁に密着している。太陽電池モジュール本体１０の側辺１１を横枠２０の嵌合部２２に挿入することにより、横枠２０が太陽電池モジュール本体１０に取り付けられている。嵌合部２２と太陽電池モジュール本体１０に挟まれた弾性体５０は、圧縮されて、嵌合部２２と太陽電池モジュール本体１０に嵌合している。
【００２８】
図４は、本発明の太陽電池モジュールのＢ−Ｂ’の断面図である。下枠３０は、アルミニウムの押出加工により形成されてなる。下枠３０は、支持部３２とボックス部３３からなる。支持部３２はボックス部３３の上方にあって、横片３２ａと縦片３２ｂからなる。横片３２ａの一部はボックス部３３と共有している。ボックス部３３は、上片３３ａと、内側片３３ｂと、下片３３ｃと、外側片３３ｄとが、箱状に連結された形状であり上辺３３ａは、支持部３２の横片３２ａと共有している。
【００２９】
支持部３２上に弾性体５１が配置されてなり、弾性体上に太陽電池モジュール本体１０が載置されている。弾性体５１は、支持部３２に接する面は、支持部３２の形状に沿った形状をしており、太陽電池モジュール本体１１と接する面は、太陽電池モジュール本体１０の下辺１３の形状に沿った形状をしている。支持部３２の縦片３２ｂの先端は、太陽電池モジュール本体１０の受光面と同じ位置かそれよりも低い位置にある。また、弾性体５１の先端も太陽電池モジュール本体１０の受光面と同一の面か、それより低い位置にある。
【００３０】
太陽電池モジュール本体１０は、上辺が高く、下辺が低くなるように傾けて架台や屋根に取り付けられるが、下枠３０の支持部３２の縦片３２ｂの先端が、太陽電池モジュール本体の受光面と同一面かそれより低い位置にあり、水が太陽電パネルの受光面をスムーズに流れるので、塵やほこりを含む雨水が受光面上に留まって、蒸発することにより受光面に塵やほこりが堆積して発電量が低下することを防ぐことができる。
【００３１】
また、積雪した際も、受光面上の雪がスムーズに滑落するので、長時間受光面に雪が留まって発電量が回復しないといった事象を回避することができる。なお、上枠も下枠と同様の構造であるので、太陽電池モジュールを縦方向に連続して設置しても、積雪の滑落を妨げることがない。
【００３２】
図５は、本発明の太陽電池モジュールのコーナ部材を示す斜視図である。図５（ａ）、図５（ｂ）は、コーナ部材４０をそれぞれ別方向から見たものである。
コーナ部材４０は、嵌合部４１とボックス部４２と凸部４３からなる。嵌合部４１おいて、上片４１ａと下片４１ｂで形成される溝部４１ｃは、太陽電池モジュール本体１０の側辺１１および下辺１３と嵌合する。支持片４１ｄは、太陽電池モジュール本体１０の下辺１３を支持する部材である。上片４１ａは、横枠２０に当接する部分よりも、支持片４１ｄに近い部分が幅広になるように形成されている。
また、上片４１ａの縁部４１ｆは、テーパが付けられて薄くなっており、太陽電池モジュール本体１０の受光面との段差を小さくして、雪や塵やほこりの滞留を軽減している。また、嵌合部４１には切欠き４１ｇが設けられている。
【００３３】
ボックス部４２は、上片４２ａと、外側片４２ｂと、下片４２ｃと、内側片４２ｄが順に連結した構造を有し、仕切片４２ｅが、上片４２ａと下片４２ｃの間に設けられている。上片４２ａの一部は、嵌合部４１の下片４１ｂと共有している。また、上片４２ａは、段差部４２ｆを有している。また、枠体に接続する面である枠体接続片４２ｇには、貫通孔４２ｈ、４２ｉが設けられ、貫通孔４２ｈ、４２ｉの間に係合爪４２ｊが設けられている。
【００３４】
凸部４３は、ボックス部４２の下方に形成されており、架台に取り付けるための係合部材と係合するための係合手段として、穴４３ａが形成されている。また、太陽電池モジュール１を重ねて保管するときのガイドの役割も果たしている。すなわち、太陽電池モジュール１を積み重ねたとき、凸部４３が一段下の太陽電池モジュール１の切欠き４１ｇに位置する。四隅のコーナ部材４０において、凸部４３が切欠き４１ｇに位置することになり、積み重ねたときに太陽電池モジュール１の位置ずれを防ぐことができる。
【００３５】
図６〜８は、本発明の太陽電池モジュールの組立工程を示す図である。図６（ａ）に示すように、太陽電池モジュール本体１０の側辺１１にシリコン樹脂や合成ゴムなどで形成された弾性体５０を取り付ける。弾性体５０の端部５０ａは太陽電池モジュール本体１０の角部が収まるようにＬ字状に曲がっており、角部を包み込むように保護している。
【００３６】
次に、図６（ｂ）に示すように、横枠２０を弾性体５０を取り付けた太陽電池モジュール本体１０を取り付ける。このとき、後の工程でコーナ部材４０が取り付けられる部分には横枠がないように組み合わせる。弾性体５０は、横枠２０と太陽電池モジュール本体１０との間の緩衝材として機能し、太陽電池モジュール本体１０の側辺１１および角部を保護する。また、弾性体５０は、太陽電池モジュール１０と密着して、太陽電池モジュール本体１０の端部への水分の侵入を防ぐ。また、横枠２０およびコーナ部材４０に密着して取り付け強度を高めている。
【００３７】
次に、図７（ａ）において、下枠３０とコーナ部材４０を組み合わせる。下枠３０の端部には、外側片３３ｄを延設した接続片３４が設けられている。接続片３４には、貫通孔３４ａ、３４ｂが設けられている。また、貫通孔３４ａ、３４ｂの間に係合穴３４ｃが設けられている。また、支持部３２の端部には切欠き３５が設けられている。コーナ部材４０の枠体接続片４２ｇを接続片３４に当接させるとともに、貫通孔４２ｈ、４２ｉが下枠３０の貫通孔３４ａ、３４ｂにそれぞれ一致するように組み合わせる。このとき、段差部４２ｆは下枠３０の支持部３２の下側に位置するようになる。
【００３８】
次に、図７（ｂ）に示すように、コーナ部材４０を下枠３０に取り付ける。係合爪４２ｊは、係合穴３４ｃ組み合わされて、下枠３０とコーナ部材４０と係合させる。このとき、コーナ部材４０の貫通孔４２ｈ、４２ｉと下枠３０の貫通孔３４ａ、３４ｂとがそれぞれ一致する。また、切欠き３５にコーナ部材４０が収まる。
【００３９】
図８（ａ）において、弾性体５１を下枠３０の支持部３２に接着剤で固定する。次に、あらかじめ組み合わせてある下枠３０とコーナ部材４０を太陽電池モジュール本体１０の下辺１３に取り付ける。弾性体５０の角部は、コーナ部材４０の溝部４１ｃに挿しこまれるともに、支持片４１ｄに当接するまで押し込まれる。続いて、コーナ部材４０からねじ６０、６１を挿入して、貫通孔４２ｈ、３４ａおよび４２ｉ、３４ｂを介して、横枠２０のねじ穴部２３ｆ、２３ｇにねじ込んで下枠を横枠に固定する。
【００４０】
このようにして、ねじ６０、６１によって、横枠２０と下枠３０とコーナ部材４０が締結され、図８（ｂ）に示されるように、太陽電池モジュール１が形成される。太陽電池モジュール本体の角部を太陽電池モジュール本体１０の受光面と、受光面と反対の面の両側から挟持することができる。特に、太陽電池モジュール本体１０下辺の端を挟持するので、太陽電池モジュール本体１０と枠体の取り付け強度が増し、信頼性が増加する。
【００４１】
図９は、本発明  の太陽電池モジュールのＣ−Ｃ’の断面図である。図９において、貫通孔４２ｈと貫通孔３４ａを介してねじ穴部２３ｆにねじ６０がねじこまれている。また、貫通孔４２ｉと貫通孔３４ｂ介してねじ穴部２３ｇにねじ６１がねじこまれている。ねじ６０、６１はタッピンねじであるので、ねじ穴部２３ｆ、２３ｇはねじ挿入と同時にねじ山が形成されて螺合する。ねじ６０、６１により、横枠２０と下枠３０とコーナ部材４０が締結されている。
【００４２】
太陽電池モジュール本体１０は、側辺１１から下辺１３にかけて弾性体５０で覆われており、側辺１１は、上片２２ａと下片２２ｃによって横枠２０に挟持される。また、側辺１１は、溝部４１ｃに挿入されて、上片４１ａと下片４１ｂによってコーナ部材４０に挟持されている。また、下辺１３は弾性体５０を介して支持片４１ｄに当接し、上片４１ａと下片４１ｂによって、コーナ部材４０に挟持されている。すなわち、コーナ部材４０は、太陽電池モジュール本体１０の側辺１１と下辺１３とを挟持する。コーナ部材によって、太陽電池モジュール本体の側辺と下辺の両方を１つの部材で挟持することができるので取り付け強度を増大させることができる。
【００４３】
図１０は、本発明の太陽電池モジュールの部分拡大図であり、太陽電池モジュールの角部を受光面側から見た図である。コーナ部材４０おいて、太陽電池モジュール本体１０の上辺に近い部分である、上片４１ａが横枠２０の上片２２ａに当接する上辺側においては、横枠２０の上片２２ａと同じ幅であるが、太陽電池モジュール本体１０の下辺１３を挟持する下辺側は上辺側よりも幅広であり、横枠２０よりも幅広である。コーナ部材４０がより横枠の幅よりも大きい長さにわたって、下辺１３を支えることができるので、太陽電池モジュール本体１０の取り付け強度を増大させることができる。
【００４４】
また、嵌合部４１の上片４１ａの先端が薄くなるようにテーパが付けられた縁部４１ｆは、緩やかなカーブを有しており、嵌合部４１の幅が太陽電池モジュール本体１０の上辺側から下辺側に向かって連続的に幅が広くなっている。雨水が溜まりにくく、また、積雪も滑落しやすい形状となっている。雨水が溜まりにくい構造であるので、雨水に含まれる塵やほこりが受光面上で蒸発して付着することが少なくなり、防汚効果を発揮して、発電効率の低下を防ぐことができる。また、積雪が滑落しやすいので、太陽電池モジュールの発電機能を速やかに回復することができる。
【００４５】
図１１は、本発明の太陽電池モジュールを複数積層した斜視図である。図１１において凸部４３は、一段下の太陽電池モジュール１の、コーナ部材４０の切欠き４１ｇにはまるようになっており、太陽電池モジュール１の位置決めができるようになっている。四隅のコーナ部材４０の凸部４３および切欠き４１ｇによって、太陽電池モジュールの位置が下の太陽電池モジュールの直上に位置決めされるので、輸送時などに積み重ねたときに位置ずれすることがない。
（実施の形態２）
図１２は、本発明の第２の実施の形態である太陽電池モジュールを示す部分拡大図である。図１２において、凸部４３’の構成が実施の形態１と異なっている。コーナ部材４０’の嵌合部４１’に凸部４３’が設けられている。
【００４６】
図１３は、本発明の第２の実施の形態である太陽電池モジュールを複数積層した図である。太陽電池モジュールの１四隅のコーナ部材４０’に設けられた凸部４３’は、直上に積重ねられた太陽電池モジュールのコーナ部材４０’の外側近傍に位置することにより、一段上の太陽電池モジュールの位置が、下の太陽電池モジュールの直上に位置決めされるので、太陽電池積み重ねたときに位置ずれすることを防ぐことができる。
（実施の形態３）
図１４は本発明の第３の実施の形態である太陽電池モジュールを示す部分拡大図である。図１４において、コーナ部材４０’’に積み重ねのための凸部が設けられていない例を示したものである。通常使用には凸部がなくとも良いが、凸部がないと、太陽電池モジュールを重畳して輸送するときには、別途輸送用の枠などに固定する必要がある。
【００４７】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１  …太陽電池モジュール
１０…太陽電池モジュール本体
１１、１２…側辺
１３…下辺
１４…上辺
２０、２１…横枠
３０…下枠
３１…上枠
４０…コーナ部材
４１…嵌合部
４１ａ…上片
４１ｆ…縁部
４３…凸部
【図１】
2015056569.tif 000003
【図２】
2015056569.tif 000004
【図３】
2015056569.tif 000005
【図４】
2015056569.tif 000006
【図５】
2015056569.tif 000007
【図６】
2015056569.tif 000008
【図７】
2015056569.tif 000009
【図８】
2015056569.tif 000010
【図９】
2015056569.tif 000011
【図１０】
2015056569.tif 000012
【図１１】
2015056569.tif 000013
【図１２】
2015056569.tif 000014
【図１３】
2015056569.tif 000015
【図１４】
2015056569.tif 000016
【図１５】
2015056569.tif 000017